(57)【要約】      （修正有）【課題】製造と組み立てが非常に便利である超薄型スピーカー構造を提供する。【解決手段】下ドラムペーパー２は、辺縁に近い位置に、周囲を囲む半円状の浮き上った部分を設置し、これにより枠止部２１を形成し、中央には開口２２を設置し、上ドラムペーパー１は、枠止部２１内縁の面積とほぼ等しく、中央に開口２２を設置し、スチール片３は、複数層のセラミック材料を重ねて構成する発声部品３１を設置し、発声部品３１には導線３２を溶接し、スチール片３を上、下ドラムペーパー１、２の間に挟んで設置し、しかも上ドラムペーパー１は、下ドラムペーパー２の枠止部２１の内縁に嵌めて設置し、薄型スピーカー１００を構成し、発声部品３１により、音声信号を受信後、上、下ドラムペーパー１、２により、音声を導出し、こうしてｉ−ｐａｄ、ｉ−ｐｈｏｎｅ、或いは携帯電話、ヘッドホン、アンプ、ノートブック型コンピューターなどの薄型化製品に応用することができる。【選択図】図２
0003166425.tif 000002
【実用新案登録請求の範囲】
【請求項１】
下ドラムペーパー、上ドラムペーパー、スチール片を備え、
前記下ドラムペーパーは、中央に開口を設置し、
前記上ドラムペーパーは、前記下ドラムペーパーよりやや小さく、中央に開口を設置し、前記スチール片は、前記上、下ドラムペーパーの間に挟んで設置し、複数層のセラミック材料を重ねて構成する発声部品を設置し、
前記構成部材の組合せにより、薄型スピーカーを構成し、前記発声部品により、音声信号を受信後、前記上、下ドラムペーパーにより、音声を導出することを特徴とする超薄型スピーカー構造。
【請求項２】
請求項１記載の超薄型スピーカー構造において、前記下ドラムペーパーは、辺縁に近い位置に、周囲を囲む半円状の浮き上った部分を設置し、これにより浮き上った枠止部を形成し、
前記上ドラムペーパーは、前記枠止部内縁の面積とほぼ等しく、これにより前記上ドラムペーパーは、前記枠止部の内縁に嵌めて設置することを特徴とする超薄型スピーカー構造。
【請求項３】
請求項１記載の超薄型スピーカー構造において、前記上、下ドラムペーパーは、紙プレフォーム、布、木片、或いはスポンジ、ＰＥＴ(ポリエチレンテレフタレート)、ＰＥＮ(ポリエーテルニトリル)、ＰＥＩ(ポリエーテルイミド)材料であることを特徴とする超薄型スピーカー構造。
【考案の詳細な説明】
【技術分野】
【０００１】
本考案は超薄型スピーカー構造に関し、特に発声部品により音声信号を受信後、上、下ドラムペーパーにより音声を導出し、ｉ−ｐａｄ(登録商標)、ｉ−ｐｈｏｎｅ(登録商標)、或いは携帯電話、ヘッドホン、アンプ、ノートブック型コンピューターなどの薄型化製品に応用することができ、しかも製造と組み立てが非常に便利である超薄型スピーカー構造に関する。
【背景技術】
【０００２】
科学技術の迅速な進歩に従い、ｉ−ｐａｄ(登録商標)、ｉ−ｐｈｏｎｅ(登録商標)、或いは携帯電話、ヘッドホン、アンプ、ノートブック型コンピューターなどの３Ｃ製品は、薄くて軽量かつコンパクトを目標として研究開発が進められている。それに伴い、これら製品が使用するパーツも、薄型化が求められている。
【０００３】
中でも、スピーカーは、現段階で小型化を達成してはいるが、薄く、軽量、省エネ(節電)、原料の節約をより進めることができないため、その体積は製品の要求を満たすことができていない。さらに、ヘッドホンを薄型化したとしても、高、中、低音をそれぞれリアルに再現しなければならないため、薄型化したことで各音域をカバーしきれなくなるのでは、業界も消費者も望むものではない。本考案は、従来の超薄型スピーカー構造の上記した欠点に鑑みてなされたものである。
【考案の概要】
【考案が解決しようとする課題】
【０００４】
本考案の主要な目的は、発声部品により音声信号を受信後、上、下ドラムペーパーにより音声を導出し、ｉ−ｐａｄ(登録商標)、ｉ−ｐｈｏｎｅ(登録商標)、或いは携帯電話、ヘッドホン、アンプ、ノートブック型コンピューターなどの薄型化製品に応用することができ、しかも製造と組み立てが非常に便利で、発声効果がより良好である超薄型スピーカー構造を提供することである。
【課題を解決するための手段】
【０００５】
上述の目的を解決するため、本考案は下記の超薄型スピーカー構造を提供する。
超薄型スピーカー構造は、下ドラムペーパー、上ドラムペーパー、スチール片を備え、該下ドラムペーパーは、辺縁に近い位置に、周囲を囲む半円状の浮き上った部分を設置し、これにより枠止部を形成し、中央には開口を設置し、該上ドラムペーパーは、該枠止部内縁の面積とほぼ等しく、中央に開口を設置し、該スチール片は、複数層のセラミック材料を重ねて構成する発声部品を設置し、該発声部品には導線を溶接し、該スチール片を該上、下ドラムペーパーの間に挟んで設置し、しかも該上ドラムペーパーは、該下ドラムペーパーの枠止部の内縁に嵌めて設置し、こうして薄型スピーカーを構成し、該発声部品により、音声信号を受信後、該上、下ドラムペーパーにより、音声を導出し、こうしてｉ−ｐａｄ(登録商標)、ｉ−ｐｈｏｎｅ(登録商標)、或いは携帯電話、ヘッドホン、アンプ、ノートブック型コンピューターなどの薄型化製品に応用することができる。
該超薄型スピーカー構造の上、下ドラムペーパーは、紙プレフォーム、布、木片、或いはスポンジ、ＰＥＴ(ポリエチレンテレフタレート)、ＰＥＮ(ポリエーテルニトリル)、ＰＥＩ(ポリエーテルイミド)など材料である。
【考案の効果】
【０００６】
本考案の超薄型スピーカー構造は、上、下ドラムペーパーにより、上、下ドラムペーパーに挟んで設置するスチール片を対応させ、超薄型スピーカーを構成し、超薄型スピーカーは、発声部品により音声信号を受信後、上、下ドラムペーパーにより音声を導出し、ｉ−ｐａｄ(登録商標)、ｉ−ｐｈｏｎｅ(登録商標)、或いは携帯電話、ヘッドホン、アンプ、ノートブック型コンピューターなどの薄型化製品に応用することができ、しかも製造と組み立てが非常に便利で、発声効果がさらに良好である。
【図面の簡単な説明】
【０００７】
【図１】本考案の立体図である。
【図２】本考案の立体分解図である。
【図３】本考案の立体分解図である。
【図４】本考案の断面図である。
【図５】本考案の部分拡大断面図である。
【図６】本考案実施例の模式図である。
【考案を実施するための形態】
【０００８】
本考案の立体図、立体分解図である図１、２、３に示すように、本考案は、上ドラムペーパー１、下ドラムペーパー２、スチール片３を備える。
本実施例中では、下ドラムペーパー２は、紙プレフォーム、布、木片、或いはスポンジ、ＰＥＴ(ポリエチレンテレフタレート)、ＰＥＮ(ポリエーテルニトリル)、ＰＥＩ(ポリエーテルイミド)など材料である。それを、方形、或いは円形に成型する。下ドラムペーパー２に近接する辺縁位置に、周囲を囲む半円状の浮き上った部分を設置し、これにより浮き上った枠止部２１を形成する。下ドラムペーパー２の中央には、開口２２を設置する(本実施例では、方形の開口２２を設置する)。
【０００９】
上ドラムペーパー１は、紙プレフォーム、布、木片、或いはスポンジ、ＰＥＴ(ポリエチレンテレフタレート)、ＰＥＮ(ポリエーテルニトリル)、ＰＥＩ(ポリエーテルイミド)など材料である。それは、下ドラムペーパー２の枠止部２１内縁の面積とほぼ等しく、その中央には、開口１１を設置する(本実施例では、方形の開口２２を設置する)。
スチール片３は、複数のセラミック材料を重ねて形成する発声部品３１を設置し、発声部品３１には、導線３２を溶接する。
【００１０】
上記した構成部材を組み合わせることで、スチール片３を上、下ドラムペーパー１、２の間に挟んで設置し、さらに上ドラムペーパー１を、下ドラムペーパー２の枠止部２１の内縁に嵌めて設置し、これにより薄型スピーカー１００を構成する。さらに、導線３２を別の製品のパワーアンプに接続し、発声部品３１により、音声信号を受信後、上、下ドラムペーパー１、２により音声を導出し、こうしてｉ−ｐａｄ(登録商標)、ｉ−ｐｈｏｎｅ(登録商標)、或いは携帯電話、ヘッドホン、アンプ、ノートブック型コンピューターなどの薄型化製品に応用することができる。
【００１１】
本考案の断面図、部分拡大図である図４、５に示すように、本考案の組み立て時には、スチール片３を上、下ドラムペーパー１、２の間に挟んで設置する。下ドラムペーパー２は、辺縁に近い位置に、枠止部２１を設置するため、下ドラムペーパー２中央は、凹槽状を形成する。これにより、上ドラムペーパー１は、下ドラムペーパー２の枠止部２１の内縁に嵌めて設置することができ、こうして上、下ドラムペーパー１、２を、粘着剤により相互に接着し、薄型スピーカー１００を構成する。
こうして、スチール片３に設置する発声部品３１が、音声信号を受信すると、上、下ドラムペーパー１、２により音声を導出可能となり、しかも音声周波数を失うことはない。さらに、下ドラムペーパー２の辺縁に近い位置に設置する枠止部２１は、一般のスピーカーのスパイダー作用を構成し、これにより薄型スピーカー１００は、より良い音質を実現することができる。
【００１２】
本考案はｉ−ｐａｄ(登録商標)、ｉ−ｐｈｏｎｅ(登録商標)、或いは携帯電話、ヘッドホン、アンプ、ノートブック型コンピューターなど薄型化製品に応用可能である他に、本考案実施例の模式図である図６に示すように、薄型スピーカー１００全体を、アンプ４内に固定することができる。これによっても同様に、導線３２を別の製品のパワーアンプ(アンプ、或いはＯＰ  ＡＭＰ)に接続し、発声部品３１により、音声信号を受信後、上、下ドラムペーパー１、２により音声を導出し、こうして音はアンプ４により発せられ、別の形態の応用を構成する。
【００１３】
本考案は従来の薄型スピーカーに比較し、以下のような長所がある。
１．より薄型化が可能なため、応用範囲がより広がる。
２．スチール片３を上、下ドラムペーパー１、２間に挟んで設置することで、音を発するため、中音も高音も臨場感を失わず、低音の部分も、超低音に近い２００Ｈｚの低周波数を導出でき、オリジナルな音を再現する効果がより良好となる。
３．上ドラムペーパー１は、下ドラムペーパー２の音の損失を補うことができるため、全体的な音導出効果はより安定し、しかも下ドラムペーパー２は、２００Ｈｚに達するほど、その低音導引効果は優れているため、低音が失われることはない。
４．下ドラムペーパー２に設置する枠止部２１は、低音補償効果を構成するため、薄型スピーカー１００全体は、全音域の発声効果を達成することができる。
５．従来のスピーカーにはある磁石、ボイスコイルがないため、省エネ、節電、環境保護を達成することができる。
【００１４】
前述は本考案の実施例を解釈することを目的としているだけであり、本考案のいかなる形式上にも制限を加えるものではない。よって、同様の考案精神の下に為される本考案に関する修飾及び変更は何れも本考案の意図する保護範囲に含まれるものとする。
【符号の説明】
【００１５】
１  上ドラムペーパー
１１  開口
２  下ドラムペーパー
２１  枠止部
２２  開口
３  スチール片
３１  発声部品
３２  導線
４  アンプ
１００  薄型スピーカー
【図１】
0003166425.tif 000003
【図２】
0003166425.tif 000004
【図３】
0003166425.tif 000005
【図４】
0003166425.tif 000006
【図５】
0003166425.tif 000007
【図６】
0003166425.tif 000008